(57)【要約】【課題】データ放送番組以外のチャンネルであってもロックを自動で確実にかけることができるようにする。【解決手段】取得手段により電子番組表データから番組情報が取得されると、カウント手段によりタイマがカウントされ、判断手段により該カウント手段によるカウント値に基づき、任意の番組の視聴が所定時間継続したかどうかが判断され、所定時間継続したと判断されると、ロック手段により現在視聴中の番組を放送しているチャンネルがロックされるようにした。【選択図】図１
2008092473.tif 000002
【特許請求の範囲】
【請求項１】
テレビジョン受像機におけるチャンネルをロックするチャンネルロック装置であって、
電子番組表データから番組情報を取得する取得手段と、
該取得手段によって番組情報が取得されると、タイマをカウントするカウント手段と、
該カウント手段によるカウント値に基づき、任意の番組の視聴が所定時間継続したかどうかを判断する判断手段と、
該判断手段によって所定時間継続したと判断されると、現在視聴中の番組を放送しているチャンネルをロックするロック手段とを備える
ことを特徴とするチャンネルロック装置。
【請求項２】
前記判断手段によって所定時間継続したと判断されると、前記電子番組表データから得られる番組終了時間を取得する終了時間取得手段を有し、
前記ロック手段は、現在時刻が前記終了時間取得手段により取得されている番組終了時間に達すると、前記チャンネルのロックを解除する
ことを特徴とする請求項１に記載のチャンネルロック装置。
【請求項３】
前記ロック手段は、前記チャンネルのロック中に、リモコン送信機によって所定の操作が行われると、前記チャンネルのロックを解除することを特徴とする請求項１又は２に記載のチャンネルロック装置。
【請求項４】
前記ロック手段によってチャンネルがロックされると前記チャンネルのロックを示す情報をＯＳＤ表示させ、前記ロック手段によってチャンネルのロックが解除されると前記チャンネルのロック解除を示す情報をＯＳＤ表示させるように制御するＯＳＤ表示制御手段を有することを特徴とする請求項１〜３のいずれかに記載のチャンネルロック装置。
【請求項５】
請求項１〜４のいずれかに記載のチャンネルロック装置を備えることを特徴とするテレビジョン受像機。
【請求項６】
テレビジョン受像機におけるチャンネルをロックするチャンネルロック方法であって、
電子番組表データから番組情報を取得するステップと、
該番組情報が取得されると、タイマをカウントするステップと、
該カウントによるカウント値に基づき、任意の番組の視聴が所定時間継続したかどうかを判断するステップと、
該判断によって所定時間継続したと判断されると、現在視聴中の番組を放送しているチャンネルをロックするステップとを有する
ことを特徴とするチャンネルロック方法。
【請求項７】
前記所定時間継続したと判断されると、前記電子番組表データから得られる番組終了時間を取得するステップと、
現在時刻が前記取得されている番組終了時間に達すると、前記チャンネルのロックを解除するステップとを有する
ことを特徴とする請求項６に記載のチャンネルロック方法。
【請求項８】
前記チャンネルのロック中に、リモコン送信機によって所定の操作が行われると、前記チャンネルのロックを解除するステップを有することを特徴とする請求項６又は７に記載のチャンネルロック方法。
【請求項９】
前記チャンネルがロックされると前記チャンネルのロックを示す情報をＯＳＤ表示させ、前記チャンネルのロックが解除されると前記チャンネルのロック解除を示す情報をＯＳＤ表示させるように制御するステップを有することを特徴とする請求項６〜８のいずれかに記載のチャンネルロック方法。
【発明の詳細な説明】
【技術分野】
【０００１】
本発明は、たとえばテレビジョン受像機におけるチャンネルのロック／ロック解除を自動で行わせるチャンネルロック装置、テレビジョン受像機及びチャンネルロック方法に関する。
【背景技術】
【０００２】
従来より、テレビジョン受像機によって同一チャンネルを継続視聴する場合、チャンネルロック用のスイッチ等を設け、手動でロックする方法がとられている。また、公共の場で複数の視聴者がいる環境では、予めテレビジョン受像機の管理者が視聴チャンネルを設定し、リモコン送信機を別途管理することで、他のチャンネルに切り替えられないようにする方法がとられている。
【０００３】
このようなチャンネルロックの方法では、チャンネルのロック／ロック解除を手動操作によって行う必要があることから、その操作が煩わしいものであった。また、リモコン送信機を管理者が管理していても、リモコン機能用のプログラムが組み込まれた携帯電話機等が用いられると、他のチャンネルに切り替えられてしまうおそれがある。
【０００４】
他の方法によりチャンネルロックを行うものとして、特許文献１では、受信番組がデータ放送番組か否かを判断し、受信番組がデータ放送番組であるとき、リモコン送信機からのリモコン信号を判定する処理を通常どおり行うが、チャンネル選択にかかわるキーについてのリモコン信号であると判定したとき、この信号に対応する処理は行わないようにすることで、チャンネル変更を無効化（ロック）する処理を行うデジタル放送受信装置を提案している。
【０００５】
すなわち、特許文献１に示されたものは、データ放送コンテンツをブラウザにて展開し、モデムを介して事業者サーバにアクセスすることで双方向サービスとしてクイズ、プレゼント応募、商品購入等を利用する場合に、ユーザはリモコン送信機のキーを用いて番号等を入力することによりコミュニケーションが行えるが、番号入力に際して誤ってチャンネル選択用のキーを操作してしまうと、データ放送の受信状態から別の番組に遷移してしまうことを防止するものである。
【特許文献１】特開２００４−１４０６４９号公報
【発明の開示】
【発明が解決しようとする課題】
【０００６】
ところで、上述した特許文献１に示されているデジタル放送受信装置は、たとえばサービス種別を示す情報に基づき、受信番組がデータ放送番組であるかどうかを判断し、データ放送番組であるときにはデータ放送エンジン（ブラウザ）を起動させると共にタイマをスタートさせて、このタイマ計測で一定時間が経過したか（データ放送受信状態が一定時間継続したか）否かを判断し、その受信番組の受信状態が一定時間経過したときにチャンネルロックが自動でかけられるものである。
【０００７】
ところが、そのチャンネルロックの対象が双方向サービスが可能なデータ放送番組となっているため、データ放送番組以外のチャンネルに対するロックを自動でかけられないという問題があった。
【０００８】
本発明は、このような状況に鑑みてなされたものであり、上記問題点を解決することができるチャンネルロック装置、テレビジョン受像機及びチャンネルロック方法を提供することを目的とする。
【課題を解決するための手段】
【０００９】
本発明のチャンネルロック装置は、テレビジョン受像機におけるチャンネルをロックするチャンネルロック装置であって、電子番組表データから番組情報を取得する取得手段と、該取得手段によって番組情報が取得されると、タイマをカウントするカウント手段と、該カウント手段によるカウント値に基づき、任意の番組の視聴が所定時間継続したかどうかを判断する判断手段と、該判断手段によって所定時間継続したと判断されると、現在視聴中の番組を放送しているチャンネルをロックするロック手段とを備えることを特徴とする。
また、前記判断手段によって所定時間継続したと判断されると、前記電子番組表データから得られる番組終了時間を取得する終了時間取得手段を有し、前記ロック手段は、現在時刻が前記終了時間取得手段により取得されている番組終了時間に達すると、前記チャンネルのロックを解除するようにすることができる。
また、前記ロック手段は、前記チャンネルのロック中に、リモコン送信機によって所定の操作が行われると、前記チャンネルのロックを解除するようにすることができる。
また、前記ロック手段によってチャンネルがロックされると前記チャンネルのロックを示す情報をＯＳＤ表示させ、前記ロック手段によってチャンネルのロックが解除されると前記チャンネルのロック解除を示す情報をＯＳＤ表示させるように制御するＯＳＤ表示制御手段を有するようにすることができる。
本発明のテレビジョン受像機は、請求項１〜４のいずれかに記載のチャンネルロック装置を備えることを特徴とする。
本発明のチャンネルロック方法は、テレビジョン受像機におけるチャンネルをロックするチャンネルロック方法であって、電子番組表データから番組情報を取得するステップと、該番組情報が取得されると、タイマをカウントするステップと、該カウントによるカウント値に基づき、任意の番組の視聴が所定時間継続したかどうかを判断するステップと、該判断によって所定時間継続したと判断されると、現在視聴中の番組を放送しているチャンネルをロックするステップとを有することを特徴とする。
また、前記所定時間継続したと判断されると、前記電子番組表データから得られる番組終了時間を取得するステップと、現在時刻が前記取得されている番組終了時間に達すると、前記チャンネルのロックを解除するステップとを有するようにすることができる。
また、前記チャンネルのロック中に、リモコン送信機によって所定の操作が行われると、前記チャンネルのロックを解除するステップを有するようにすることができる。
また、前記チャンネルがロックされると前記チャンネルのロックを示す情報をＯＳＤ表示させ、前記チャンネルのロックが解除されると前記チャンネルのロック解除を示す情報をＯＳＤ表示させるように制御するステップを有するようにすることができる。
本発明のチャンネルロック装置、テレビジョン受像機及びチャンネルロック方法では、電子番組表データから番組情報が取得されると、タイマがカウントされ、該カウントによるカウント値に基づき、任意の番組の視聴が所定時間継続したと判断されると、現在視聴中の番組を放送しているチャンネルがロックされる。
【発明の効果】
【００１０】
本発明のチャンネルロック装置、テレビジョン受像機及びチャンネルロック方法によれば、電子番組表データから番組情報が取得されると、タイマがカウントされ、該カウントによるカウント値に基づき、任意の番組の視聴が所定時間継続したと判断されると、現在視聴中の番組を放送しているチャンネルがロックされるようにしたので、データ放送番組以外のチャンネルであってもロックを自動で確実にかけることができる。実使用の効果としては、当初から視聴予定の番組の場合には従来技術としてのチャンネルロックボタンを押すことで所定時間、又は所定番組終了までの間のチャンネル変更を阻止すればよいが、本発明によれば、特に視聴予定のない番組でも、視聴しているうちに継続して視聴したくなる場合が往々にしてあり、そういう場合でもチャンネルロックが自動的にかかり、たとえば番組終了まで、安心して視聴することができる。
【発明を実施するための最良の形態】
【００１１】
本実施形態では、取得手段により電子番組表データから番組情報が取得されると、カウント手段によりタイマがカウントされ、判断手段により該カウント手段によるカウント値に基づき、任意の番組の視聴が所定時間継続したかどうかが判断され、所定時間継続したと判断されると、ロック手段により現在視聴中の番組を放送しているチャンネルがロックされるようにし、データ放送番組以外のチャンネルであってもロックを自動で確実にかけることができるようにした。
【実施例】
【００１２】
以下、本発明の実施例の詳細について説明する。図１は、本発明のチャンネルロック装置をテレビジョン受像機に適用した場合の一実施例を説明するための図である。
【００１３】
図１に示すテレビジョン受像機１０は、チューナ１１、デジタル信号復調部１２、ＴＳ（トランスポートストリーム）デコーダ１３、Ａ／Ｖ（音声／映像）デコーダ１４、Ａ／Ｖ（音声／映像）出力部１５、メモリ１６、ＯＳＤ（Ｏｎ  Ｓｃｒｅｅｎ  Ｄｉｓｐｌａｙ）コントローラ１７、リモコン受信器１８、制御部１９を備えている。ここで、メモリ１６、制御部１９によってチャンネルロック装置が構成されている。
【００１４】
チューナ１１は、たとえばリモコン受信器１８によって受信された図示しないリモコン送信機からの選局データに基づきデジタル放送信号の選局を行う。デジタル信号復調部１２は、チューナ１１によって選局されたデジタル放送信号を復調し、ＭＰＥＧ２符号化方式等で符号化された映像、音声、データが多重されたビットストリーム（以下、トランスポートストリームという）として出力する。
【００１５】
ＴＳデコーダ１３は、デジタル信号復調部１２からのトランスポートストリームから映像データ、音声データ、電子番組表データ等の各種データを分離・抽出して出力する。Ａ／Ｖデコーダ１４は、ＴＳデコーダ１３によって分離・抽出された映像データ及び音声データに対しＭＰＥＧ２等の復号処理を行って出力する。Ａ／Ｖ出力部１５は、Ａ／Ｖデコーダ１４によって復号処理されたＡ／Ｖ信号を出力する。
【００１６】
メモリ１６には、ＯＳＤコントローラ１７によって表示される後述のチャンネル（ＣＨ）のロック／ロック解除等に関する情報が記憶されている。また、メモリ１６には、制御部１９による少なくともチャンネル（ＣＨ）のロック／ロック解除に必要な制御プログラムが記憶されている。また、メモリ１６には、ＴＳデコーダ１３によって分離・抽出された電子番組表データ等が記憶される。また、メモリ１６には、チャンネル（ＣＨ）ロックが開始されるとオンされるフラグと、チャンネル（ＣＨ）ロックが開始された番組の終了時間とが管理されるチャンネル（ＣＨ）管理テーブルが設けられている。
【００１７】
ＯＳＤコントローラ１７は、図示しないディスプレイ上に、メモリ１６に記憶されている情報に基づき、チャンネル（ＣＨ）のロック／ロック解除等に関する内容等を表示させる。リモコン受信器１８は、図示しないリモコン送信機から赤外線によるリモコン信号を受信する。
【００１８】
制御部１９は、メモリ１６に記憶されている少なくともチャンネル（ＣＨ）のロック／ロック解除に必要な制御プログラムに基づいて各部の動作を制御する。本実施例における制御部１９の主な制御としては、同一番組が規定時間視聴されていることを判別してチャンネル（ＣＨ）ロックを行うことである。
【００１９】
ここで、制御部１９がロック／ロック解除に必要な制御プログラムを読み込むことで、取得手段、カウント手段、判断手段、ロック手段、終了時間取得手段、ＯＳＤ表示制御手段が実現される。
【００２０】
取得手段は、電子番組表データから番組情報を取得するものである。なお、電子番組表データは、地上波デジタル放送電波から取得してもよいし、インターネット等の通信回線を介して取得するようにしてもよい。カウント手段は、該取得手段によって番組情報が取得されると、タイマをカウントするものである。判断手段は、該カウント手段によるカウント値に基づき、任意の番組の視聴が所定時間継続したかどうかを判断するものである。
【００２１】
ロック手段は、該判断手段によって所定時間継続したと判断されると、現在視聴中の番組を放送しているチャンネルをロックするものである。終了時間取得手段は、判断手段によって所定時間継続したと判断されると、電子番組表データから得られる番組終了時間を取得するものである。この番組終了時間は、ロック手段によってチャンネルのロックが解除される時間として用いられる。
【００２２】
なお、ロック手段は、チャンネルのロック中に、図示しないリモコン送信機によって所定の操作が行われると、チャンネルのロックを途中解除することも可能である。ＯＳＤ表示制御手段は、ロック手段によってチャンネルがロックされるとチャンネルのロックを示す情報をＯＳＤ表示させるようにＯＳＤコントローラ１７を制御するものである。また、ＯＳＤ表示制御手段は、ロック手段によってチャンネルのロックが解除されるとチャンネルのロック解除を示す情報をＯＳＤ表示させるようにＯＳＤコントローラ１７を制御するものである。
【００２３】
次に、チャンネル（ＣＨ）ロック方法について説明する。まず、図２に示すように、テレビジョン受像機１０の電源がオンされると、番組情報が取り込まれる（ステップＳ１）。すなわち、上述したＴＳデコーダ１３により、デジタル信号復調部１２からのトランスポートストリームから分離・抽出された電子番組表データから番組情報が得られる。
【００２４】
このとき、制御部１９により内部タイマのロックタイマセット、すなわち同一番組が規定時間視聴されているかどうかを判別するための時間がセットされ（ステップＳ２）、続いて内部タイマによるタイムカウントが開始される（ステップＳ３）。ここで、ロックタイマセットにおける時間は、予め設定されたものであってもよいし、任意に設定されるようにしてもよい。
【００２５】
次いで、図示しないリモコン送信機からのリモコン信号の有無が判断される（ステップＳ４）。リモコン信号があると判断されると（ステップＳ４：Ｙｅｓ）、次にチャンネル（ＣＨ）の選択に関わるものかどうかが判断される（ステップＳ５）。ここで、リモコン信号には、チャンネル（ＣＨ）の選択以外に、同一番組での音量調整等があり、チャンネル（ＣＨ）の選択でない場合は（ステップＳ５：Ｎｏ）、その音量調整等のリモコン制御が実行される（ステップＳ６）。
【００２６】
これに対し、チャンネル（ＣＨ）の選択に関わるものであると判断されると（ステップＳ５：Ｙｅｓ）、次に選局中のチャンネル（ＣＨ）、すなわち同一チャンネル（ＣＨ）かどうかが判断される（ステップＳ７）。
【００２７】
ここで、選局中のチャンネル（ＣＨ）、すなわち同一チャンネル（ＣＨ）でないと判断されると（ステップＳ７：Ｎｏ）、選択されたチャンネル受信に切換えるとともにステップＳ１に戻って番組情報が取り込まれ、さらにステップＳ２でのロックタイマセット、ステップＳ３でのタイムカウント、ステップＳ４でのリモコン信号の有無の判断が行われる。ステップＳ７で同一チャンネル（ＣＨ）と判断された場合は（ステップＳ７：Ｙｅｓ）、ステップＳ２でセットされている規定時間を経過したかどうかを判断するステップＳ８に進む。
【００２８】
次に、ステップＳ４でリモコン信号がないと判断されると、ステップＳ２でセットされている規定時間を経過したかどうかが判別される（ステップＳ８）。規定時間を経過していない場合は（ステップＳ８：Ｎｏ）、ステップＳ３に戻ってタイムカウントが継続される。
【００２９】
これに対し、規定時間を経過したと判別されると（ステップＳ８：Ｙｅｓ）、上述した電子番組表データから番組終了時間が取り込まれ（ステップＳ９）たのち、チャンネル（ＣＨ）のロックがかけられ（ステップＳ１０）、続いて制御部１９により内部タイマのロック解除タイマカウントが開始される（ステップＳ１１）。
【００３０】
ここで、ロックがかけられると、制御部１９によりＯＳＤコントローラ１７が制御され、図示しないディスプレイ上に視聴中のチャンネル（ＣＨ）がロック中であることを示す内容が表示される。なお、このチャンネル（ＣＨ）がロック中であることの表示は、チャンネル（ＣＨ）ロックが解除されるまで継続されていてもよいし、所定時間だけであるようにしてもよい。また、ＯＳＤ表示はロック解除までの残時間を併せて表示するようにしてもよい。
【００３１】
また、チャンネル（ＣＨ）がロックされている最中でも、図示しないリモコン送信機からのリモコン信号の有無が判断され（ステップＳ１２）、リモコン信号があると判断されると、次にチャンネル（ＣＨ）の選択に関わるものかどうかが判断される（ステップＳ１３）。ここで、チャンネル（ＣＨ）の選択でない場合は（ステップＳ１３：Ｎｏ）、上記同様に、その音量調整等のリモコン制御が実行される（ステップＳ６）。
【００３２】
これに対し、チャンネル（ＣＨ）の選択に関わるものであると判断されると（ステップＳ１３：Ｙｅｓ）、チャンネル（ＣＨ）がロック中であるため、そのチャンネル（ＣＨ）の選択は無視される。ここでもユーザに対してロック中であることを認識させるために、図示しないディスプレイ上に視聴中のチャンネル（ＣＨ）がロック中であることを示す内容を表示させることもできる。なお、このチャンネル（ＣＨ）がロック中であることの表示は、チャンネル（ＣＨ）のロックが解除されるまで継続されていてもよいし、所定時間だけであるようにしてもよい。また、ＯＳＤ表示はロック解除までの残時間を併せて表示するようにしてもよい。
【００３３】
ここで、ステップＳ１１で開始されたロック解除タイマカウントによる時間が規定時間を経過しなければその時間までチャンネル（ＣＨ）のロックが継続されることになるが、そのチャンネル（ＣＨ）のロックの途中でロック解除を行う場合、図示しないリモコン送信機によって所定の操作が行われたときとするような設定も可能である。
【００３４】
この場合、たとえば図示しないリモコン送信機からのロック解除ボタンの信号を受信したとすると（ステップＳ１４：Ｙｅｓ）、チャンネル（ＣＨ）のロック解除が行われるが（ステップＳ１６）、ロック解除ボタンの信号を受信しない場合は（ステップＳ１４：Ｎｏ）、規定時間を経過したかどうかが判別される（ステップＳ１５）。そして、規定時間を経過していない場合は（ステップＳ１５：Ｎｏ）、ステップＳ１１に戻ってロック解除タイムカウントが継続され、規定時間を経過した場合は（ステップＳ１５：Ｙｅｓ）、チャンネル（ＣＨ）のロック解除が行われる（ステップＳ１６）。
【００３５】
なお、図示しないリモコン送信機によってロック解除を行う場合は、ロック解除ボタン以外に、電源オフの信号を受け付けるか、あるいは図示しないリモコン送信機のチャンネル操作キーが所定時間（たとえば５秒程度）だけ継続して押し続けられたとき、チャンネル（ＣＨ）のロック解除操作があると判断することも可能である。
【００３６】
また、チャンネル（ＣＨ）のロック解除が行われたとき、ＯＳＤコントローラ１７を介して図示しないディスプレイ上にチャンネル（ＣＨ）のロックが解除されたことが表示される。なお、このチャンネル（ＣＨ）のロックが解除されたことの表示は、所定時間だけであるようにしてもよい。
【００３７】
このように、本実施例では、取得手段により電子番組表データから番組情報が取得されると、カウント手段によりタイマがカウントされ、判断手段により該カウント手段によるカウント値に基づき、任意の番組の視聴が所定時間継続したかどうかが判断され、所定時間継続したと判断されると、ロック手段により現在視聴中の番組を放送しているチャンネルがロックされるようにしたので、データ放送番組以外のチャンネルであってもロックを自動で確実にかけることができる。
【００３８】
ここで、ロックをかけるための視聴継続時間は、たとえば番組情報から得られる番組継続時間の１／４の時間（２時間番組では３０分）の視聴継続があった場合、ユーザはこのあとも最後まで視聴するであろうとの予測で、この自動ロック機能を選択した場合は「番組継続時間の１／４の時間の視聴継続時間でロックを掛ける」と、自動的に設定してもよいし、ユーザがこの自動ロック機能を選択する時と同時にロックまでの視聴継続時間を任意に設定できるようにしてもよい。また、この自動ロック機能はメニューにて選択されるようにしておき、ユーザの好みで自動ロック機能の有効／無効を選択できるようにしてもよい。
【００３９】
また、本実施例では、特に視聴予定のない番組でも、視聴しているうちに継続して視聴したくなる場合が往々にしてあり、そういう場合でもチャンネルロックが自動的にかかり、たとえば番組終了まで、安心して視聴することができるという実使用の効果も得られる。
【００４０】
また、本実施例では、判断手段によって所定時間継続したと判断されると、終了時間取得手段により電子番組表データから得られる番組終了時間が取得され、ロック手段により現在時刻が終了時間取得手段により取得されている番組終了時間に達すると、チャンネルのロックが解除されるようにしたので、チャンネルのロック解除を自動で行うことができる。なお、本実施例の説明では、カウンタによるタイムカウントで説明したが、正確な時刻が設定されている場合は、時刻情報をもとに、ロックやロック解除のタイミングを決めることも可能である。
【００４１】
また、本実施例では、ロック手段により、チャンネルのロック中に、図示しないリモコン送信機によって所定の操作が行われると、チャンネルのロックが解除されるようにしたので、チャンネルのロックを途中解除することも可能となる。
【００４２】
また、本実施例では、ＯＳＤ表示制御手段により、ロック手段によってチャンネルがロックされるとチャンネルのロックを示す情報をＯＳＤ表示させるようにＯＳＤコントローラ１７を制御し、さらにロック手段によりチャンネルのロックが解除されるとチャンネルのロック解除を示す情報をＯＳＤ表示させるようにＯＳＤコントローラ１７を制御するようにしたので、チャンネルのロックやロック解除を図示しないディスプレイを介して確実に確認することができる。
【産業上の利用可能性】
【００４３】
テレビジョン受像機に限らず、テレビチューナが搭載されたＰＤＡ、携帯電話、ノートパソコン、モバイル向けテレビ等の機器にも適用可能である。
【図面の簡単な説明】
【００４４】
【図１】本発明のチャンネルロック装置をテレビジョン受像機に適用した場合の一実施例を説明するための図である。
【図２】図１のテレビジョン受像機におけるチャンネル（ＣＨ）ロック方法を説明するためのフローチャートである。
【符号の説明】
【００４５】
１０  テレビジョン受像機
１１  チューナ
１２  デジタル信号復調部
１３  ＴＳデコーダ
１４  Ａ／Ｖデコーダ
１５  Ａ／Ｖ出力部
１６  メモリ
１７  ＯＳＤコントローラ
１８  リモコン受信器
１９  制御部
【図１】
2008092473.tif 000003
【図２】
2008092473.tif 000004